(57)【要約】【課題】配送終了後にダンボール箱等の配送用材を廃棄する際、配送材上に貼着された送付伝票を容易に剥がし取れる様にし、伝票上に印字された個人情報が他人に読み取られない様にする。【解決手段】個人情報が記載された送付伝票の裏面に、(1)粘着剤の部分塗布／又は、(2)粘着剤を全面塗布した後、その上から粘着防止層を部分的に形成／又は、(3)使用前の常温時に非粘着性で、加熱・露光や加湿等の活性化処理を施すことにより活性化する粘着剤層を部分的に形成／又は、(4)使用前の常温時に非粘着性で、加熱・露光または加湿等の活性化処理を施すことにより活性化する粘着剤層を全面的に形成した後に加熱・露光や加湿等の活性化処理を部分的に施す配送伝票において、少なくとも個人情報を記載した部分の周囲にミシン目を形成し、このミシン目の少なくとも一部を伝票の周辺部に連通した剥ししろとし、ミシン目の周辺部に実質的に粘着性のある粘着剤層を形成する。【選択図】        図１
2009286004.tif 000002
【特許請求の範囲】
【請求項１】
個人情報が記載された送付伝票の裏面に、以下の(1)ないし(4)から選ばれる少なくともいずれかひとつの手段により、実質的に粘着性のある粘着剤層を形成した配送伝票において、少なくともひとつの個人情報を記載した部分の周囲にミシン目を形成し、このミシン目の少なくとも一部を伝票の周辺部に連通した剥ししろとするとともに、個人情報を記載した部分の裏面の粘着性を他の部分よりも弱めた、または、粘着性を無くしたことを特徴とする配送用伝票。
(1)粘着剤を部分的に塗布すること、または、
(2)粘着剤を全面塗布した後、その上から部分的に粘着防止層を形成すること、または、
(3)使用前の常温時に非粘着性で、加熱・露光や加湿等の活性化処理を施すことにより活性化する粘着剤層を部分的に形成すること、または、
(4)使用前の常温時に非粘着性で、加熱・露光または加湿等の活性化処理を施すことにより活性化する粘着剤層を全面的に形成した後に加熱・露光や加湿等の活性化処理を部分的に施すこと。
【発明の詳細な説明】
【技術分野】
【０００１】
本発明は、配送品の配送作業に際して、ダンボール箱などの包装材に添付して用いる配送伝票に関する。
【背景技術】
【０００２】
従来の配送用伝票は、その裏側に粘着剤が全面的に塗布されており、ダンボール箱などの配送材に貼着させて配送先に到着するまで、当該配送用伝票がはがれたり失くなったりしないようにしていた。
【０００３】
ここで、配送先への商品や荷物の配送が完了した後、配送に使われたダンボール箱等の配送材を再利用することがよくある。
しかし、使用済みの配送用伝票が配送材に強固に貼着しているため、この配送伝票の記載内容等を再利用時に読み取ってしまい、配送先を間違う問題が生じる。
これを防止するため、マジックインキ（棟梁商標）等で使用済みの伝票を塗りつぶすが、ただでさえ美観で劣る再利用物の配送材が更に汚れるため、利用サイクルが短くなり、結局誰が捨てるかの問題となって資源が無駄になる。
【０００４】
また、配送材をリサイクルのために廃棄する際、使用済み配送用伝票に記載または印字された氏名、住所、電話番号、配送品などの個人情報が貼付されたまま廃棄されるようになり、配送伝票上の個人情報を他人が容易に読み取ることができるという問題があった。
【０００５】
また一方では、配送用伝票と同じ紙片上に一体形成した受取伝票を持ち帰り容易にするため、当該受取伝票と配送用伝票との境目にミシン目を形成したものが特許文献１等により知られている。
【０００６】
【特許文献１】実用新案登録第３１０３７３３号公報
【発明の開示】
【発明が解決しようとする課題】
【０００７】
本発明は上記従来技術の問題に鑑みなされたもので、配送終了後にダンボール箱などの配送用材を配送先で廃棄する際、配送材上に貼着された送付伝票を容易に剥がし取ることができ、伝票上に印字された個人情報を他人に読み取られないようにする配送伝票の提供を目的とする。
【課題を解決するための手段】
【０００８】
上記目的を達成するため、本発明が採用する構成の特徴は、個人情報が記載された送付伝票の裏面に、以下の(1)ないし(4)から選ばれる少なくともいずれかひとつの手段により、実質的に粘着性のある粘着剤層を形成した配送伝票において、少なくとも個人情報を記載した部分の周囲にミシン目を形成し、このミシン目の少なくとも一部を伝票の周辺部に連通した剥ししろとするとともに、個人情報を記載した部分の裏面の粘着性を他の部分よりも弱め、または、粘着性を無くしたことにある。
(1)粘着剤を部分的に塗布すること、または、
(2)粘着剤を全面塗布した後、その上から部分的に粘着防止層を形成すること、または、
(3)使用前の常温時に非粘着性で、加熱・露光や加湿等の活性化処理を施すことにより活性化する粘着剤層を部分的に形成すること、または、
(4)使用前の常温時に非粘着性で、加熱・露光または加湿等の活性化処理を施すことにより活性化する粘着剤層を全面的に形成した後に加熱・露光や加湿等の活性化処理を部分的に施すこと。
ここで、具体例を挙げれば、上記(1)は粘着剤をフレキソ印刷等の手段により用紙上に部分的に塗布すること、上記(2)は、粘着剤をコーター等で全面塗布した後、その上からフレキソ印刷等で部分的にインキや透明ニスを塗布すること、あるいは所望の形に形成したフィルムを粘着剤層の上に貼付けて部分的に粘着防止層とすることが挙げられ、後者には、粘着性を付与したくない部分の剥離台紙を型抜きして伝票用紙と共に被着物に貼り付ける形態も含まれる。
(3)は、使用前には不活性な粘着剤をフレキソ印刷等により用紙上に部分的に塗布したのち、使用時には全面的に加熱・露光や加湿などの活性化処理を施す場合である。
(4)は、使用前の常温時に非粘着性で、上記の活性化処理を施すことにより活性化する粘着剤層を全面的に形成した後、貼付直前に加熱・露光や加湿等の活性化処理を部分的に施すことで、加熱には焼印のようなブロックを使う方法、サーマルプリンタに類似のサーマルヘッドを用いる方法、露光にはネガ/ポジ・フィルムと赤外線ランプを用いる方法などがある。
【０００９】
上記構成により、配送用伝票を配送材に貼着させて配送先に到着するまでの間、個人情報を記載した部分が、その周辺部の実質的に粘着性のある粘着剤層によって、はがれたり失くなったりしないように配送材上に保持される。
そして、使用済みの包装材を廃棄するときに、剥ししろを起点として個人情報の記載部分の周囲をミシン目に沿って切り取り、剥して捨てることができる。
【発明の効果】
【００１０】
したがって、ダンボール箱等の配送材を再利用する場合には、使用済み伝票の記載内容等を誤って読み取ってしまう問題を防止でき、また、配送材を廃棄する場合には、使用済み伝票上の個人情報を他人が容易に読み取れないようにできる。
【発明を実施するための最良の形態】
【００１１】
以下、本発明を実施するための最良の形態を図１ないし図７に基づき説明する。
ここで、図１ないし図３は第一の実施の形態を表しており、図１は配送用伝票の正面図、図２は図１中の矢示II-II方向の断面図、図３は図１中の矢示III-III方向の断面図である。
【００１２】
図中の配送伝票１は、剥離台紙２上に粘着剤層３を介して伝票用紙４が剥離可能なように接着（仮着）されたものであり、前記粘着剤層の形、配置、形成方法によって幾つもバリエーションの実施形態がある。
【００１３】
伝票用紙４には左側に発送者欄５が、右側に届け先欄６がそれぞれ印刷され、そのそれぞれに発送人の住所、氏名、電話番号や届け先の住所、氏名、電話番号などの個人情報が記載されている。そして、前記届け先欄６の周囲には、ミシン目７が形成されている。
【００１４】
ここで、発送者および届け先は個人である場合もあれば企業である場合もあり、企業などであればその名所・所在地・連絡先等の情報に公開性のある場合もあり、むしろリピーター客などを対象として宣伝に用いたい場合もある。従って、本形態では発送者欄５側にはミシン目７を設けない構成とした。
【００１５】
８はミシン目７が囲む範囲のうち少なくとも一部を伝票の周辺部に向けて突出させ、連通させた剥ししろである。
【００１６】
また、上記粘着剤層３は、図２および図３に示す如く、粘着剤を印刷等の手段により用紙上に部分的に塗布して形成されている。
【００１７】
このような構成とすることにより、本実施の形態によれば配送途中には外部から余程特別な力が加わらない限り接着力も十分あり、かつ、配送完了後に剥がすためには、人の手で剥ししろ８を引っ張ることにより容易に剥がれる配送用伝票が得られる。
【００１８】
次に、他の実施の形態について、図４ないし図７を用いて説明する。なお、以下に述べる他の形態の特徴は、如何にしてミシン目内側の周辺部に実質的に粘着性のある粘着剤層を形成するかの相違であり、前述した第一の実施の形態と同一の構成要素に同一の符号を付し、その説明を省略する。
【００１９】
伝票用紙４の裏面には、粘着剤を全面塗布してベタの粘着剤層３を形成した後、その上からインキやニスを印刷し粘着防止層９を選択的に形成している。
【００２０】
次に、図６および図７は第三の実施の形態を示し、使用前の常温時に非粘着性で、加熱処理を施すことにより活性化する粘着剤層を全面的に形成した後に加熱活性化処理を部分的に施す方法でミシン目８の周辺部に実質的に粘着性のある粘着剤層３を形成したことを特徴とする。
ここで、図７中、３ａはサーマルヘッド等の加熱手段により選択的に熱活性化された粘着性付与部分であり、３ｂは熱活性化されなかった非粘着付与部分である。本実施形態においては、使用するときに粘着剤層３の所望する部分を熱で活性化できるので、剥離台紙２の要らない伝票とすることができる。
【００２１】
実施の形態は以上の構成を備えることにより、いずれも上述したのと同じような作用効果を奏することができる。
【図面の簡単な説明】
【００２２】
【図１】本発明の第一の実施の形態に係る配送用伝票の正面図である。
【図２】図１中の矢示II-II方向に沿った断面図である。
【図３】図１中の矢示III-III方向に沿った断面図である。
【図４】第二の実施の形態に係る、上記図２と同様の断面図である。
【図５】第二の実施の形態に係る、上記図３と同様の断面図である。
【図６】第三の実施の形態に係る、上記図２と同様の断面図である。
【図７】第三の実施の形態に係る、上記図３と同様の断面図である。
【符号の説明】
【００２３】
１  配送伝票
２  剥離台紙
３  粘着剤層
４  伝票用紙
５  発送者欄（個人情報が記載された部分）
６  届け先欄（個人情報が記載された部分）
７  ミシン目
８  剥ししろ
９  粘着防止層
【図１】
2009286004.tif 000003
【図２】
2009286004.tif 000004
【図３】
2009286004.tif 000005
【図４】
2009286004.tif 000006
【図５】
2009286004.tif 000007
【図６】
2009286004.tif 000008
【図７】
2009286004.tif 000009